(57)【要約】【課題】ギヤ精度が良く、カラー複写機やカラープリンタ等の各種機械の動力伝達装置に使用され、高精度の回転伝達を可能にする射出成形樹脂ギヤを提供することを目的とする。【解決手段】リム６の歯幅方向両端部からリム６とウェブ５との接続部（歯幅方向略中央部）に向かうにしたがって、リム６の肉厚を漸減させることにより、リム６の収縮量が歯幅方向に沿ってほぼ均等化し、リム６とウェブ５との接続部におけるヒケの発生を抑えることができるため、歯すじ誤差等のギヤ精度の高精度化を図ることができる。【選択図】　　　　図２
2004138137.tif 000002
【特許請求の範囲】
【請求項１】
歯が形成されたリムとハブとをウェブで接続してなる射出成形樹脂ギヤにおいて、
前記リムの歯幅方向端部から前記リムと前記ウェブとの接続部に向かうにしたがって、前記リムの肉厚を漸減させたことを特徴とする射出成形樹脂ギヤ。
【請求項２】
略円筒状の外周側円筒部と内周側円筒部とを円板状部で接続してなる射出成形樹脂回転体において、
前記外周側円筒部の幅方向端部から前記外周側円筒部と前記円板状部との接続部に向かうにしたがって、前記外周側円筒部の肉厚を漸減させたことを特徴とする射出成形樹脂回転体。
【請求項３】
外周側円筒部と内周側円筒部とを円板状部で接続してなる射出成形体において、
前記外周側円筒部の幅方向端部から前記外周側円筒部と前記円板状部との接続部に向かうにしたがって、前記外周側円筒部の肉厚を漸減させたことを特徴とする射出成形体。
【発明の詳細な説明】
【０００１】
【発明の属する技術分野】
この発明は、カラー複写機やカラープリンタ及びＶＴＲ装置等の各種精密機械、各種自動車部品、産業機械等の動力伝達装置に使用される樹脂製のギヤであって、特に、射出成形によって形成された樹脂ギヤに関するものである。また、この発明は、射出成形樹脂ギヤ，射出成形樹脂ローラ，射出樹脂プーリ，射出成形樹脂スプロケット等の動力伝達部分に使用されることがある射出成形樹脂回転体に関するものである。さらに、この発明は、射出成形樹脂ギヤ，射出成形樹脂ローラ等の動的な射出成形樹脂回転体及び静的な軸支持部材等として使用される射出成形体に関するものである。
【０００２】
【従来の技術】
近年、各種精密機械等の動力伝達機構に広く使用されるようになってきた射出成形樹脂ギヤ３１は、図６に示すように、外周側に歯３２が形成された円筒状のリム３３と、軸穴３４が形成されたハブ３５と、これらリム３３とハブ３５とを接続する略円板状のウェブ３６とで構成されるようになっている（例えば、非特許文献１参照。）。
【０００３】
また、図８に示すように、歯形に沿った凹部４０を各歯４１に形成し、歯４１の肉厚を均一化して、歯形精度を確保するようにした射出成形樹脂ギヤ４２が既に案出されている（例えば、特許文献１参照。）。
【０００４】
【非特許文献１】
精密工学会，成形プラスチック歯車研究専門委員会編「成形プラスチック歯車ハンドブック」シグマ出版、１９９５年４月２０日、４７７頁〜４７９頁の図１１．２７〜図１１．２９
【特許文献１】
特開平４−２３６８４８号公報（段落番号００１２〜００１４、図３及び図４）
【０００５】
【発明が解決しようとする課題】
しかしながら、非特許文献１に開示されたような形状の射出成形樹脂ギヤ３１は、キャビティ内に射出された樹脂が冷却・固化する際に、肉厚の厚い領域の方が肉厚の薄い領域よりも大きく収縮するため、肉厚の厚いリム３３とウェブ３６との接続部側の方が肉厚の薄いリム３３の歯幅方向端部側よりも半径方向内方へ大きく収縮し、図７に示すように、リム３３の歯幅方向略中央部においてヒケ３７が生じて、ギヤ精度（歯すじ誤差等）が低下するという特有の問題（切削加工される金属製ギヤには生じない問題）を有している。
【０００６】
また、特許文献１に開示されたような従来の射出成形樹脂ギヤ４２は、非特許文献１の射出成形樹脂ギヤ３１において問題となる歯形精度の向上を目的として案出されたものであるが、歯形に沿った凹部４０を形成しない射出成形樹脂ギヤに比較して強度が著しく劣るため、動力伝達機構に使用することが難しいという不具合を有している。
【０００７】
そこで、本発明は、ギヤ精度が良く、カラー複写機やカラープリンタ等の各種機械の動力伝達装置に使用され、高精度の回転伝達を可能にする射出成形樹脂ギヤを提供することを目的とする。また、本発明は、射出成形樹脂ギヤと同様に動力伝達機構を構成する射出成形樹脂プーリ，射出成形樹脂スプロケット，射出成形樹脂ベルト車，射出成形樹脂ローラ等の射出成形樹脂回転体の高精度化を図ることを目的とする。また、本発明は、射出成形樹脂ローラとほぼ同様な外形形状を呈し、可動軸又は静止軸を支持することができるように形成された軸支持部材等の射出成形体の高精度化を図ることを目的とする。
【０００８】
【課題を解決するための手段】
請求項１の発明は、歯が形成されたリムとハブとをウェブで接続してなる射出成形樹脂ギヤにおいて、前記リムの歯幅方向端部から前記リムと前記ウェブとの接続部に向かうにしたがって、前記リムの肉厚を漸減させたことを特徴としている。
【０００９】
また、請求項２の発明は、略円筒状の外周側円筒部と内周側円筒部とを円板状部で接続してなる射出成形樹脂回転体において、前記外周側円筒部の幅方向端部から前記外周側円筒部と前記円板状部との接続部に向かうにしたがって、前記外周側円筒部の肉厚を漸減させたことを特徴としている。
【００１０】
また、請求項３の発明は、外周側円筒部と内周側円筒部とを円板状部で接続してなる射出成形体において、前記外周側円筒部の幅方向端部から前記外周側円筒部と前記円板状部との接続部に向かうにしたがって、前記外周側円筒部の肉厚を漸減させたことを特徴としている。
【００１１】
【発明の実施の形態】
以下、本発明の実施の形態を図面に基づき詳述する。
【００１２】
［第１の実施の形態］
図１及び図２は、本発明の実施の形態に係る射出成形樹脂ギヤ１を示すものである。これらの図に示す射出成形樹脂ギヤ１は、例えば、ポリアセタール，ポリアミド，ポリブチレンテレフタレート，ポリカーボネート等の樹脂材料を使用して射出形成されたものである。尚、図１は、射出成形樹脂ギヤ１の正面図である。また、図２は、図１のＡ−Ａ線に沿って切断して示す射出成形樹脂ギヤ１の断面図である。
【００１３】
これらの図に示す射出成形樹脂ギヤ１は、軸穴２内に軸３が嵌合されるようになっている略円筒状のハブ（内周側円筒部）４と、このハブ４の外周側に形成された略円板状のウェブ（円板状部）５と、このウェブ５の外周側に形成された略円筒状のリム（外周側円筒部）６と、を備えている。そして、この射出成形樹脂ギヤ１は、リム６の外周に歯７が形成されており（図１参照）、ウェブ５が歯幅方向略中央部に位置するように形成され（図２参照）、ウェブ５を中心としてほぼ左右対称形状になっている（図２参照）。
【００１４】
リム６は、図３に詳細を示すように、歯幅方向両端部から歯幅方向略中央部（リム６とウェブ５との接続部９）に向かうにしたがって、その肉厚を漸減するように形成されている。言い換えれば、リム６は、その内周面８の直径が、歯幅方向両端部から歯幅方向略中央部に向かうに従って漸増するように、抜け勾配とは逆のテーパ形状に形成されている。したがって、リム６は、歯幅方向両端部において最も肉厚が厚く、ウェブ５との接続部９において最も肉厚が薄くなっている。ここで、リム６のテーパ角度θは、射出成形樹脂ギヤ１の樹脂材料の種類，外形寸法及び使用状態等に応じて最適の数値が選択される。
【００１５】
このように、構成された本実施の形態の射出成形樹脂ギヤ１によれば、リム６の歯幅方向両端部から歯幅方向略中央部に向かうにしたがって、リム６の肉厚を漸減させることにより、リム６の収縮量が歯幅方向に沿ってほぼ均等化し、リム６とウェブ５との接続部９におけるヒケの発生を抑えることができるため、歯すじ誤差等のギヤ精度の高精度化を図ることができる。したがって、本実施の形態の射出成形樹脂ギヤ１は、カラー複写機やカラープリンタ等の各種機械に使用されると、回転を正確に伝達することが可能になる。
【００１６】
尚、本実施の形態の射出成形樹脂ギヤ１は、リム６の内周面８が抜け勾配と逆のテーパ形状になっているため、キャビティから容易に取り出せるように、射出成形金型の型割等が工夫されている。
【００１７】
［第２の実施の形態］
図４及び図５は、本発明の第２の実施の形態に係る射出成形樹脂回転体としての射出成形樹脂ローラ１１を示すものである。
【００１８】
これらの図に示す射出成形樹脂ローラ１１は、軸穴１２内に軸１３が嵌合されるようになっている内周側円筒部（ハブ）１４と、この内周側円筒部１４の外周側に形成された円板状部（ウェブ）１５と、この円板状部１５の外周側に形成された外周側円筒部（リム）１６と、を備えている。そして、この射出成形樹脂ローラ１１は、外周側円筒部１６の幅方向略中央部に円板状部１５が位置するように形成され、円板状部１５を中心としてほぼ左右対称形状になっている（図６参照）。
【００１９】
外周側円筒部１６は、幅方向両端部から幅方向略中央部（外周側円筒部１６と円板状部１５との接続部１９）に向かうにしたがって、その肉厚を漸減するように形成されている。言い換えれば、外周側円筒部１６は、その内周面１７の直径が、幅方向両端部から幅方向略中央部に向かうに従って漸増するように、抜け勾配とは逆のテーパ形状に形成されている。したがって、外周側円筒部１６は、幅方向両端部において最も肉厚が厚く、円板状部１５との接続部１９において最も肉厚が薄くなっている。ここで、外周側円筒部１６のテーパ角度θは、射出成形樹脂ローラ１１の樹脂材料（ポリアセタール，ポリアミド，ポリブチレンテレフタレート，ポリカーボネート等）の種類，外形寸法及び使用状態等に応じて最適の数値が選択される。
【００２０】
このように、構成された本実施の形態の射出成形樹脂ローラ１１によれば、外周側円筒部１６の幅方向両端部から幅方向略中央部に向かうにしたがって、外周側円筒部１６の肉厚を漸減させることにより、外周側円筒部１６の収縮量が幅方向に沿ってほぼ均等化し、外周側円筒部１６と円板状部１５との接続部１９におけるヒケの発生を抑えることができるため、外周側円筒部１６の高精度化を図ることができる。
【００２１】
［その他の実施の形態］
上述の第２の実施の形態は、射出成形樹脂回転体として射出成形樹脂ローラ１１を例示したが、射出成形樹脂回転体としてはこれに限られず、平ベルトが巻き掛けられるベルト車とすることができる。また、第２の実施の形態の射出成形樹脂回転体（１１）は、外周側円筒部１６の外周側に歯（７）を形成して、第１の実施の形態で説明した射出成形樹脂ギヤ１とすることができる。また、第２の実施の形態の射出成形樹脂回転体（１１）は、外周側円筒部１６の外周側に、歯付きベルトに噛み合う歯を形成し、歯付きベルト用プーリとすることができる。また、第２の実施の形態の射出成形樹脂回転体（１１）は、外周側円筒部１６の外周側に、ベルトに係合するベルト溝を形成し、プーリ等とすることができる。また、第２の実施の形態の射出成形樹脂回転体（１１）は、外周側円筒部１６の外周側に、チェーンに噛み合う歯を形成することにより、チェーンスプロケットとすることができる。
【００２２】
また、上述の第２の実施の形態に示す射出成形樹脂ローラ１１と同様の形状の射出成形体を、往復動や回動する軸１３を支持する軸支持部材及び静止軸（１３）を支持する軸支持部材２０として使用することが可能である。
【００２３】
また、上述の第１の実施の形態は、ウェブ５をリム６の歯幅方向略中央部に接続する態様を例示したが、ウェブ５とリム６の接続部をリム６の歯幅方向端部側にずらす態様にも適用できる。
【００２４】
また、上述の第２の実施の形態は、円板状部１５を外周側円筒部１６の幅方向略中央部に接続する態様を例示したが、円板状部１５と外周側円筒部１６の接続部を外周側円筒部１６の幅方向端部側にずらす態様にも適用できる。
【００２５】
【発明の効果】
以上のように、本発明に係る射出成形樹脂ギヤによれば、リムの歯幅方向端部からリムとウェブとの接続部に向かうにしたがって、リムの肉厚を漸減させることにより、リムの収縮量が歯幅方向に沿ってほぼ均等化し、リムとウェブとの接続部におけるヒケの発生を抑えることができるため、歯すじ誤差等のギヤ精度の高精度化を図ることができる。
【００２６】
また、本発明に係る射出成形樹脂回転体によれば、外周側円筒部の幅方向端部から外周側円筒部と円板状部との接続部に向かうにしたがって、外周側円筒部の肉厚を漸減させることにより、外周側円筒部の収縮量が幅方向に沿ってほぼ均等化し、外周側円筒部と円板状部との接続部におけるヒケの発生を抑えることができるため、外形形状の高精度化を図ることができる。
【００２７】
また、本発明に係る射出成形体は、外周側円筒部の幅方向両端部から幅方向略中央部に向かうにしたがって、外周側円筒部の肉厚を漸減させることにより、外周側円筒部の収縮量が幅方向に沿ってほぼ均等化し、外周側円筒部と円板状部との接続部におけるヒケの発生を抑えることができるため、外形形状の高精度化を図ることができる。
【図面の簡単な説明】
【図１】本発明の第１の実施の形態に係る射出成形樹脂ギヤの正面図である。
【図２】図１のＡ−Ａ線に沿って切断して示す射出成形樹脂ギヤの断面図である。
【図３】図２の一部を拡大して示す断面図である。
【図４】本発明の第２の実施の形態に係る射出成形樹脂回転体の正面図である。
【図５】図４のＢ−Ｂ線に沿って切断して示す射出成形樹脂回転体の断面図である。
【図６】従来の射出成形樹脂ギヤの縦断面図である。
【図７】従来の射出形成樹脂ギヤの不具合状態を示す拡大図である。
【図８】他の従来の射出成形樹脂ギヤの歯の一部を拡大して示す図である。
【符号の説明】
１……射出成形樹脂ギヤ、４……ハブ（内周側円筒部）、５……ウェブ（円板状部）、６……リム（外周側円筒部）、７……歯、１１……射出成形樹脂ローラ（射出成形樹脂回転体）、１４……内周側円筒部（ハブ）、１５……円板状部（ウェブ）、１６……外周側円筒部（リム）、２０……軸支持部材（射出成形体）
【図１】
2004138137.tif 000003
【図２】
2004138137.tif 000004
【図３】
2004138137.tif 000005
【図４】
2004138137.tif 000006
【図５】
2004138137.tif 000007
【図６】
2004138137.tif 000008
【図７】
2004138137.tif 000009
【図８】
2004138137.tif 000010